(57)【要約】【課題】空気流路内部に配置される空気清浄フィルタに対し、ユニット本体の上面に設けられている空気吸い込み口の開口部位置にて容易にメンテナンスや交換等が行える空気調和機を提供することを目的とする。【解決手段】ユニット本体２の上面に設けられている空気吸い込み口６に吸い込みグリル７が配設され、その空気吸い込み口６から空気吹き出し口に到る空気流路１２中にプレフィルタ９、熱交換器４、送風ファン５が順次配設されている空気調和機１において、吸い込みグリル７は、その後方端側を支点に前方端側が上方に回動可能に設置され、吸い込みグリル７の裏面側に配設されているプレフィルタ９と熱交換器４との間の空気流路１２中に空気清浄フィルタ１４が配設され、その空気清浄フィルタ１４が吸い込みグリル７に連結され、該吸い込みグリル７の前方端側の上方への回動に連動して空気吸い込み口６の開口部位置に取り出し可能とされている。【選択図】図４
2015169389.tif 000002
【特許請求の範囲】
【請求項１】
ユニット本体の上面に吸い込みグリルが配設されている空気吸い込み口が設けられ、その空気吸い込み口から空気吹き出し口に到る空気流路中にプレフィルタ、熱交換器および送風ファンが順次配設されている空気調和機において、
前記吸い込みグリルは、その後方端側を支点に前方端側が上方に回動可能に設置され、
前記吸い込みグリルの裏面側に配設されているプレフィルタと前記熱交換器との間の前記空気流路中に空気清浄フィルタが配設され、
該空気清浄フィルタは、前記吸い込みグリルに連結され、該吸い込みグリルの前方端側の上方への回動に連動して前記空気吸い込み口の開口部位置に取り出し可能とされていることを特徴とする空気調和機。
【請求項２】
前記空気清浄フィルタは、前記ユニット本体内に前面側から上部後方へと傾斜配置された前記熱交換器の上部前面位置の空気流路中に配置されていることを特徴とする請求項１に記載の空気調和機。
【請求項３】
前記空気清浄フィルタは、後方端側が軸支されて回動可能に配置され、その前方端側が前記吸い込みグリルの前方端側とリンクを介して連結されていることを特徴とする請求項１または２に記載の空気調和機。
【請求項４】
前記空気清浄フィルタは、ホルダーを介して設置され、前記空気吸い込み口の開口部位置に取り出された状態で前記ホルダーに対して着脱自在とされていることを特徴とする請求項１ないし３のいずれかに記載の空気調和機。
【発明の詳細な説明】
【技術分野】
【０００１】
本発明は、ユニット本体の上面に空気吸い込み口および吸い込みグリルが設けられている空気調和機に関するものである。
【背景技術】
【０００２】
壁掛け型の空気調和機は、ユニット本体の前面および／または上面に空気吸い込み口および吸い込みグリルが設けられ、その吸い込みグリルの裏面側にプレフィルタ、空気清浄フィルタが順次配設された構成とされている。これらの空気調和機では、例えば、特許文献１に示されるように、前面側の吸い込みグリルや前面パネルが上下または左右方向に開閉自在とされており、ユニット本体の前面側からプレフィルタや空気清浄フィルタに対してメンテナンスや交換が行える構成とされているのが通常である。
【０００３】
一方、一体型の空気調和機において、特許文献２，３等に示されるように、前面から空気を吸い込み、上面を含む上部又は下部から温調風を吹き出す構成としたもの、前面下部または上部から空気を吸い込み、前面上部または下部から温調風を吹き出す構成としたもの等では、前面側に吸い込みグリルが設けられ、その裏面にフィルタ類が配置されることから、ユニット本体の高さ寸法が多少高くなっても、フィルタ類のサービス性に支障が生じることはないが、昨今、ユニット本体の上面のみに空気吸い込み口および吸い込みグリルが設けられ、ユニット本体の前面から温調風を吹き出す構成とされた空気調和機が提供されている。
【先行技術文献】
【特許文献】
【０００４】
【特許文献１】特開２００３−７４８９５号公報
【特許文献２】特開平５−１４９５７９号公報
【特許文献３】実公昭６２−４０２６１号公報
【発明の概要】
【発明が解決しようとする課題】
【０００５】
上記の如く、ユニット本体の上面のみに空気吸い込み口および吸い込みグリルが設けられている空気調和機の場合、ユニット本体の高さ寸法が高くなる、あるいはユニット本体が壁面据え付け等により高所に据え付けられて使用されると、吸い込みグリルの裏面側に配設されるプレフィルタに対しては、吸い込みグリルを開閉することにより比較的容易にメンテナンスすることができるが、プレフィルタの下流側の空気流路中に配置される空気清浄フィルタに対しては、手が届き難くなり、メンテナンスや交換等のサービス性が悪化することが懸念される。
【０００６】
本発明は、このような事情に鑑みてなされたものであって、プレフィルタ下流の空気流路内部に配置される空気清浄フィルタに対し、ユニット本体の上面に設けられている空気吸い込み口の開口部位置にて容易にメンテナンスや交換等が行える空気調和機を提供することを目的とする。
【課題を解決するための手段】
【０００７】
上記した課題を解決するために、本発明の空気調和機は、以下の手段を採用する。
すなわち、本発明にかかる空気調和機は、ユニット本体の上面に吸い込みグリルが配設されている空気吸い込み口が設けられ、その空気吸い込み口から空気吹き出し口に到る空気流路中にプレフィルタ、熱交換器および送風ファンが順次配設されている空気調和機において、前記吸い込みグリルは、その後方端側を支点に前方端側が上方に回動可能に設置され、前記吸い込みグリルの裏面側に配設されているプレフィルタと前記熱交換器との間の前記空気流路中に空気清浄フィルタが配設され、該空気清浄フィルタが前記吸い込みグリルに連結され、該吸い込みグリルの前方端側の上方への回動に連動して前記空気吸い込み口の開口部位置に取り出し可能とされていることを特徴とする。
【０００８】
本発明によれば、ユニット本体の上面に設けられている空気吸い込み口に吸い込みグリルが配設され、その吸い込みグリルが後方端側を支点に前方端側が上方に回動可能に設置されているとともに、該吸い込みグリルの裏面側に配設されているプレフィルタとその下流側に配設されている熱交換器との間の空気流路中に空気清浄フィルタが配設され、該空気清浄フィルタが吸い込みグリルに連結され、吸い込みグリルの前方端側の上方への回動に連動して空気吸い込み口の開口部位置に取り出し可能とされているため、ユニット本体が高所位置に据え付けられ、あるいはユニット本体の高さ寸法が高くされたりしても、ユニット本体内の空気流路中に吸い込みグリルに連結されて配設されている空気清浄フィルタを、吸込みグリルの前方端側を上方に持ち上げる回動動作に連動して空気吸い込み口の開口部位置に取り出すことができる。従って、ユニット本体内の空気流路中に配置されている空気清浄フィルタに対するメンテナンスや交換作業等を容易化することができる。
【０００９】
また、本発明の空気調和機は、上記の空気調和機において、前記空気清浄フィルタは、前記ユニット本体内に前面側から上部後方へと傾斜配置された前記熱交換器の上部前面位置の空気流路中に配置されていることを特徴とする。
【００１０】
本発明によれば、空気清浄フィルタが、ユニット本体内に前面側から上部後方へと傾斜配置された熱交換器の前面上部位置の空気流路中に配置されているため、空気清浄フィルタがユニット本体の上面に設けられている空気吸い込み口から吸い込まれる空気流を阻害することがなく、空気清浄フィルタが空気吸い込み口にて圧損要因となることによる室内空気の吸い込み量の低下を抑制することができる。従って、空気清浄フィルタによる風量の低下を抑制し、空気調和機の高性能化を維持することができる。
【００１１】
さらに、本発明の空気調和機は、上述のいずれかの空気調和機において、前記空気清浄フィルタは、後方端側が軸支されて回動可能に配置され、その前方端側が前記吸い込みグリルの前方端側とリンクを介して連結されていることを特徴とする。
【００１２】
本発明によれば、空気清浄フィルタの後方端側が軸支されて回動可能に配置され、その前方端側が吸い込みグリルの前方端側とリンクを介して連結されているため、吸い込みグリルの前方端側を上方に持ち上げ回動し、その前方端側にリンクを介して連結されている空気清浄フィルタの前方端側を、後方端側を支点に上方に持ち上げることによって、ユニット本体内の空気流路中に配置されている空気清浄フィルタを空気吸い込み口の開口部位置に取り出すことができる。従って、空気清浄フィルタを空気吸い込み口の開口部位置で容易にメンテナンスまたは交換することができる。
【００１３】
さらに、本発明の空気調和機は、上述のいずれかの空気調和機において、前記空気清浄フィルタは、ホルダーを介して設置され、前記空気吸い込み口の開口部位置に取り出された状態で前記ホルダーに対して着脱自在とされていることを特徴とする。
【００１４】
本発明によれば、空気清浄フィルタが、ホルダーを介して設置され、空気吸い込み口の開口部位置に取り出された状態でホルダーに対して着脱自在とされているため、脱臭フィルタ、各種除菌フィルタ、アレルゲン不活性化フィルタ、ＨＥＰＡフィルタ等を総称するフィルタとしての空気清浄フィルタを点検あるいは交換する際、ユニット本体内においてユニット本体側および吸い込みグリルと連結されているホルダーに対して着脱することにより、簡易に点検あるいは交換することができる。従って、空気清浄フィルタに対するサービス性を維持、確保することができる。
【発明の効果】
【００１５】
本発明によると、ユニット本体が高所位置に据え付けられ、あるいはユニット本体の高さ寸法が高くされたりしても、ユニット本体内の空気流路中に吸い込みグリルに連結されて配設されている空気清浄フィルタを、吸込みグリルの前方端側を上方に持ち上げる回動動作に連動して空気吸い込み口の開口部位置に取り出すことができるため、ユニット本体内の空気流路中に配置されている空気清浄フィルタに対するメンテナンスや交換作業等を容易化することができる。
【図面の簡単な説明】
【００１６】
【図１】本発明の一実施形態の係る空気調和機の上方部分の外観斜視図である。
【図２】上記空気調和機の吸い込みグリルを開けた状態の外観斜視図である。
【図３】図１に示す空気調和機の吸い込みグリルを閉じた状態の縦断面図である。
【図４】図２に示す吸い込みグリルを開けた状態の縦断面図である。
【発明を実施するための形態】
【００１７】
以下に、本発明にかかる一実施形態について、図１ないし図４を参照して説明する。
図１には、本発明の一実施形態の係る空気調和機の上方部分の外観斜視図が示され、図２には、その吸い込みグリルを開けた状態の外観斜視図、図３には、吸い込みグリルを閉じた状態の縦断面図、図４には、吸い込みグリルを開けた状態の縦断面図が示されている。
空気調和機１は、一体型の空気調和機であり、床面あるいは床面から少し高い位置の壁面等に据え付けられて使用されるタイプのもので、ユニット本体２の下半部分が室外ユニット、上半部分が室内ユニット３とされている。
【００１８】
室外ユニット内には、公知の如く、圧縮機、室外熱交換器、室外ファン等の室外側機器類が収容配置されている一方、室内ユニット３には、公知の如く、室内熱交換器（熱交換器）４、室内ファン（送風ファン）５等の室内側機器類が収容配置されている。ユニット本体２の上面には、室内空気を吸い込むための空気吸い込み口６が設けられており、その空気吸い込み口６には、吸い込みグリル７が配設されている。吸い込みグリル７は、後方端側がユニット本体２に対し軸８を介して軸支されており、図２に示されるように、前方端側を上方に持ち上げることにより回動して開閉される構成とされている。
【００１９】
吸い込みグリル７の裏面（背面）側には、吸い込み空気中に含まれている塵埃を捕集するプレフィルタ９が、吸い込みグリル７の背面の全面積を覆うように、左右に２分割されてそれぞれ着脱自在に設置されている。このプレフィルタ９は、適宜メッシュの網目部とフィルタ枠部とからなるもので、吸い込みグリル７の背面に設けられたフィルタガイドに沿って抜き差し自在とされており、前端に設けられている把手を持って着脱し、捕集した塵埃を適宜洗浄する等により清掃して除去できる構成とされたものである。
【００２０】
室内ユニット３の下方部には、温調した空気を室内に吹き出す風向調節機構１０を備えた空気吹き出し口１１が設けられている。また、室内ユニット３の内部には、空気吸い込み口６から空気吹き出し口１１に到る空気流路１２が形成されており、この空気流路１２には、上記した室内熱交換器４および室内ファン５等が順次配設されている。室内熱交換器４は、フィンチューブタイプの熱交換器からなり、吸い込みグリル７およびプレフィルタ９の下流側において、図３および図４に示されるように、逆Ｖ字形状に折り曲げて配設されている。
【００２１】
この室内熱交換器４の折り曲げられた前面側熱交換器４Ａは、図３および図４に示されるように、前面下方部から上面中央部に向かって斜めに傾斜配置され、また、背面側熱交換器４Ｂは、上面中央部から背面下方に向かって斜めに傾斜配置されている。これらの前面側熱交換器４Ａおよび面側熱交換器４Ｂの下部には、ドレンパン１３（前面側熱交換器４Ａ側のドレンパンは、図示省略）が設けられている。
【００２２】
室内熱交換器４の下流側には、多数のブレードが筒状に設けられているクロスフローファン等からなる室内ファン５が水平軸周りに回転自在に配設され、図示省略のモータを介して回動可能とされている。室内ファン５は、空気吸い込み口６を介して室内空気を吸い込み、室内熱交換器４により冷却または加熱された空気を、吹き出し口１１から温調風として室内に吹き出すことにより、室内を冷房または暖房する機能を担っている。
【００２３】
また、吸い込みグリル７の裏面側に配設されているプレフィルタ９の下流と室内熱交換器４との間の空気流路１２中には、脱臭フィルタ、各種除菌フィルタ、アレルゲン不活性化フィルタ、ＨＥＰＡフィルタ等を総称するフィルタとしての空気清浄フィルタ１４が左右一対で配設されている。この左右一対の空気清浄フィルタ１４は、横長の長方形状とされたもので、収納ケース１４Ａに収納された状態で各々ホルダー１５内に着脱自在に収容保持されて配置されている。なお、収納ケース１４Ａの前面側には、把手１４Ｂが設けられており、この把手１４Ｂを持って抜き差しすることによりホルダー１５に対して着脱自在とされている。
【００２４】
各ホルダー１５は、室内熱交換器４の前面側熱交換器４Ａの前面上方に斜めに傾斜配置され、その後方端側が前面側熱交換器４Ａの上端部付近にて、ユニット本体２側に軸１６を介して回動自在に軸支されており、前方端側が各々左右一対のリンク１７により吸い込みグリル７の前方端側に連結された構成とされている。なお、リンク１７の両端は、ピン１８，１９を介してピン結合により吸い込みグリル７およびホルダー１５に対しそれぞれ回動自在に連結されている。
【００２５】
かかる構成によって、空気流路１２内部のプレフィルタ９の下流と室内熱交換器４との間の空間部に配置されている左右一対の空気清浄フィルタ１４を、図３および図４に示されるように、通常の配置位置と、吸い込みグリル７の前方端側を上方に持ち上げる回動動作に連動させて空気吸い込み口６の開口部位置に移動した取り出す位置との間で移動可能な構成としている。
【００２６】
以上に説明の構成により、本実施形態によると、以下の作用効果を奏する。
上記空気調和機１の運転により、室内空気はユニット本体２上面の空気吸い込み口６から吸い込みグリル７を介してユニット本体２内に吸い込まれ、プレフィルタ９によって空気中に含まれている塵埃が捕集、除去される。プレフィルタ９を通過した空気の一部は更に空気清浄フィルタ１４を通過することによって浄化処理された後、他の空気と共に室内熱交換器４を通過する過程で冷却または加熱されて温度調整される。こうして温調された空気は、室内ファン５を介して吹き出し口１１から室内に吹き出され、室内の冷房または暖房に供される。
【００２７】
プレフィルタ９により捕集された塵埃は、空気調和機１の運転時間の経過に伴い、フィルタ表面に堆積し、通風抵抗となって空気調和機１の運転効率を低下するため、定期的に洗浄等により清掃除去する必要がある。この際、図２に示されるように、吸い込みグリル７の前方端側を上方に持ち上げ、プレフィルタ９を引き抜いて清掃することにより、堆積された塵埃を除去することができ、そのプレフィルタ９を再セットすることにより、プレフィルタ９を塵埃が付着されていない状態に復元することができる。
【００２８】
同様に、プレフィルタ９の下流側の空気流路１２内に配置されている空気清浄フィルタ１４についても、或る期間使い続けると、その機能が劣化するため、メンテナンスや交換が必要となる。この空気清浄フィルタ１４のメンテナンスや交換時にも、吸い込みグリル７の前方端を上方に持ち上げて回動し、ホルダー１５から収納ケース１４Ａごと取り出すことになるが、吸い込みグリル７を上方に持ち上げて回動すると、空気清浄フィルタ１４を収容保持しているホルダー１５がリンク１７を介して吸い込みグリル７に連結されているため、図２、図４に示されるように、空気清浄フィルタ１４をホルダー１５と共に空気吸い込み口６の開口部位置に取り出すことができる。
【００２９】
つまり、空気清浄フィルタ１４の収納ケース１４Ａを着脱自在に収容保持しているホルダー１５は、その後方端側が軸１６を介してユニット本体２に回動自在に軸支され、前方端側がリンク１７を介して吸い込みグリル７に連結されているため、吸い込みグリル７の前方端側を上方に持ち上げて回動すると、その動作に連動して、吸い込みグリル７の前方端側にリンク１７を介して連結されているホルダー１５の前方端側が、軸支されている後方端側を支点に上方に持ち上げられる。これによって、ユニット本体２内の空気流路１２中に配置されている空気清浄フィルタ１４を、ホルダー１５と共に空気吸い込み口６の開口部位置まで移動させることができる。
【００３０】
このため、ユニット本体２の高さ寸法が高くされたり、あるいはユニット本体２が壁面等の高所位置に据え付けられたりしても、ユニット本体２内の空気流路１２中に吸い込みグリル７に連結されて配設されている空気清浄フィルタ１４を、吸込みグリル７の前方端側を上方に持ち上げる回動動作に連動させて空気吸い込み口６の開口部位置に取り出すことによって、その位置でホルダー１５から把手１４Ｂを持って収納ケース１４Ａごと取り外し、必要なメンテナンスや交換作業を施すことができる。
従って、ユニット本体２内の空気流路１２中に配置されている空気清浄フィルタ１４に対するメンテナンスやその交換作業等を容易化することができる。
【００３１】
また、空気清浄フィルタ１４は、ユニット本体２内に前面側から上部後方へと傾斜配置された前面側熱交換器４Ａの前面上部の空気流路１２中に配置されている。このため、空気清浄フィルタ１４がユニット本体２の上面に設けられている空気吸い込み口６から吸い込まれる空気流を阻害することがなく、空気清浄フィルタ１４が空気吸い込み口６にて圧損要因となることによる室内空気の吸い込み量の低下を抑制することができる。
従って、空気清浄フィルタ１４による風量の低下を抑制し、空気調和機１の高性能化を維持することができる。
【００３２】
更に、本実施形態では、空気清浄フィルタ１４がホルダー１５を介して設置され、空気吸い込み口６の開口部位置に取り出された状態でホルダー１５に対して着脱自在とされている。このため、脱臭フィルタ、各種除菌フィルタ、アレルゲン不活性化フィルタ、ＨＥＰＡフィルタ等を総称するフィルタとしての空気清浄フィルタ１４を点検あるいは交換する際、ユニット本体２内においてユニット本体２側および吸い込みグリル７と連結されているホルダー１５に対して着脱することにより、簡易に点検あるいは交換作業をすることができる。
従って、空気清浄フィルタ１４に対するサービス性を維持、確保することができる。
【００３３】
なお、本発明は、上記実施形態にかかる発明に限定されるものではなく、その要旨を逸脱しない範囲において、適宜変形が可能である。例えば、上記実施形態では、一体型空気調和機に適用した例について説明したが、これに限定されるものではなく、室内ユニットと室外ユニットとが分離されている分離型空気調和機においても同様に適用できることはもちろんである。また、上記実施形態では、プレフィルタ９および空気清浄フィルタ１４を左右に２分割して一対で配置するようにした例について説明したが、これはユニットの幅方向寸法に応じて、適宜単体または分割して配置すればよく、２分割したものに限定されないことは云うまでもない。
【００３４】
さらに、上記実施形態では、空気清浄フィルタ１４を収容保持するホルダー１５の一端側を回動自在に軸支し、他端側を吸い込みグリル７とリンク１７を介して連結することにより、空気清浄フィルタ１４を空気吸い込み口６の開口部位置に取り出し可能とした例について説明したが、リンク１７をワイヤに代替する等、他の連結構造により空気清浄フィルタ１４を空気吸い込み口６の開口部位置に取り出すことが可能な構成としてもよい。
【符号の説明】
【００３５】
１  空気調和機
２  ユニット本体
４  室内熱交換器（熱交換器）
４Ａ  前面側熱交換器
５  室内ファン（送風ファン）
６  空気吸い込み口
７  吸い込みグリル
９  プレフィルタ
１１  空気吹き出し口
１２  空気流路
１４  空気清浄フィルタ
１５  ホルダー
１７  リンク
【図１】
2015169389.tif 000003
【図２】
2015169389.tif 000004
【図３】
2015169389.tif 000005
【図４】
2015169389.tif 000006